(57)【要約】【課題】液晶表示装置のデータ駆動回路チップの個数を減らし、データ駆動回路の駆動電圧を下げる。【解決手段】行列に配列される複数の画素を含む液晶表示装置であって、基板、前記基板上に形成される複数のゲート線、前記ゲート線と交差する複数のデータ線、前記ゲート線及び前記データ線と接続される複数の薄膜トランジスタ、前記薄膜トランジスタと接続され、前記ゲート線に平行な第１辺及び前記第１辺より長さが短く、前記第１辺と隣接する第２辺を有する複数の画素電極、そして前記画素電極と重なる複数の維持電極線を有し、前記維持電極線に印加される維持電極信号は周期信号である。【選択図】図９Ａ
2008033324.tif 000002
【特許請求の範囲】
【請求項１】
行列に配列される複数の画素を有する液晶表示装置であって、
基板、
前記基板上に形成される複数のゲート線、
前記ゲート線と交差する複数のデータ線、
前記ゲート線及び前記データ線と接続される複数の薄膜トランジスタ、
前記薄膜トランジスタと接続され、前記ゲート線に平行な第１辺及び前記第１辺より長さが短く、前記第１辺と隣接する第２辺を有する複数の画素電極、そして
前記画素電極と重なる複数の維持電極線を有し、
前記維持電極線に印加される維持電極信号は周期信号であることを特徴とする液晶表示装置。
【請求項２】
隣接する維持電極線に印加される維持電極信号の位相は互いに反対であることを特徴とする、請求項１に記載の液晶表示装置。
【請求項３】
前記維持電極線は前記データ線に実質的に平行であることを特徴とする、請求項１または２に記載の液晶表示装置。
【請求項４】
前記維持電極線は前記データ線と同一層に位置することを特徴とする、請求項１ないし３のいずれかに記載の液晶表示装置。
【請求項５】
前記維持電極線は、前記ゲート線に隣接し、前記ゲート線と平行にのびる少なくとも１つの分枝を有することを特徴とする、請求項３に記載の液晶表示装置。
【請求項６】
前記第１辺の長さは前記第２辺の長さの３倍であることを特徴とする、請求項１ないし５のいずれかに記載の液晶表示装置。
【請求項７】
前記ゲート線と接続されるゲート駆動部を有し、
前記ゲート駆動部は、
前記ゲート線、前記データ線、前記薄膜トランジスタと同一層に位置することを特徴とする、請求項１ないし６のいずれかに記載の液晶表示装置。
【請求項８】
前記ゲート駆動部は前記ゲート線のうちの一部と接続される第１ゲート駆動部及び前記ゲート線のうちの他の一部と接続される第２ゲート駆動部を有することを特徴とする、請求項７に記載の液晶表示装置。
【請求項９】
前記第１ゲート駆動部と前記第２ゲート駆動部は前記基板の反対側に位置することを特徴とする、請求項８に記載の液晶表示装置。
【請求項１０】
列方向に隣接する薄膜トランジスタは互いに異なるデータ線に接続されることを特徴とする、請求項１ないし９のいずれかに記載の液晶表示装置。
【請求項１１】
列方向に隣接する薄膜トランジスタは２つの行ごとに互いに異なるデータ線に接続されることを特徴とする、請求項１ないし９のいずれかに記載の液晶表示装置。
【請求項１２】
前記データ線に接続され、複数のダミー配線を含むデータ駆動部をさらに有し、
前記維持電極信号は前記ダミー配線を通じて伝達されることを特徴とする、請求項１ないし１１のいずれかに記載の液晶表示装置。
【請求項１３】
前記ダミー配線及び前記維持電極線を接続し、前記ゲート線に平行に形成される維持電極信号供給線をさらに含むことを特徴とする、請求項１２に記載の液晶表示装置。
【請求項１４】
前記維持電極信号はフレームごとに反転することを特徴とする、請求項１ないし１３のいずれかに記載の液晶表示装置。
【請求項１５】
隣接するデータ線に沿って流れるデータ電圧の極性は反対であることを特徴とする、請求項１ないし１４のいずれかに記載の液晶表示装置。
【請求項１６】
各データ線に沿って流れるデータ電圧の極性は同一であることを特徴とする、請求項１ないし１４のいずれかに記載の液晶表示装置。
【請求項１７】
行列に配列された複数の画素を有する液晶表示装置であって、
複数のゲート線、そして
前記ゲート線と交差する複数のデータ線を有し、
前記各画素は、
液晶キャパシタ、そして
前記液晶キャパシタと接続される第１端子及び周期信号である維持電極信号の印加を受ける第２端子を各々有するストレージキャパシタを有し、
前記ゲート線及び前記データ線が定義する領域は縦の長さより横の長さがさらに長いことを特徴とする液晶表示装置。
【請求項１８】
前記ゲート線及び前記データ線が定義する領域は横の長さが縦の長さの３倍であることを特徴とする、請求項１７に記載の液晶表示装置。
【請求項１９】
前記維持電極信号の周期によって前記液晶キャパシタの電圧が変わることを特徴とする、請求項１７または１８に記載の液晶表示装置。
【発明の詳細な説明】
【技術分野】
【０００１】
本発明は液晶表示装置に関するものである。
【背景技術】
【０００２】
液晶表示装置は現在最も広く使用される平板表示装置のうちの１つであって、画素電極と共通電極など、電場生成電極が形成される２枚の表示板と、その間に挿入されている液晶層からなり、電場生成電極に電圧を印加して液晶層に電場を生成し、これを通じて液晶層の液晶分子の配向を決め、入射光の偏光を制御することによって映像を表示する。
【０００３】
液晶表示装置はまた、各画素電極に接続されるスイッチング素子及びスイッチング素子を制御して画素電極に電圧を印加するためのゲート線とデータ線など、複数の信号線を有する。
【０００４】
このようなゲート駆動回路及びデータ駆動回路は複数の集積回路チップの形態で表示板に直接装着されたり、可撓性回路膜などに装着されたりして表示板に付着されるが、このような集積回路チップは液晶表示装置の製造費用に高い比率を占める。特に、データ駆動集積回路チップの場合には、ゲート駆動回路チップに比べてその原価が非常に高いために高解像度、大面積液晶表示装置の場合にはその数を減らす必要がある。ゲート駆動回路の場合、ゲート線、データ線及びスイッチング素子と共に表示板に集積することによってその原価を節減することができるが、データ駆動回路はその構造が多少複雑であるため表示板に集積することが難しくて、さらにその個数を減らす必要がある。
【０００５】
一方、データ駆動回路の駆動電圧が高くなると消費電力が増加し、データ駆動回路の発熱量は駆動電圧の自乗に比例して増加するので、データ駆動回路の損傷を招くことがある。
【発明の開示】
【発明が解決しようとする課題】
【０００６】
本発明が目的とする技術的課題は、液晶表示装置のデータ駆動回路チップの個数を減らし、データ駆動回路の駆動電圧を下げることにある。
【課題を解決するための手段】
【０００７】
本発明の１つの実施例による液晶表示装置は、行列に配列される複数の画素を含む液晶表示装置であって、基板、前記基板上に形成される複数のゲート線、前記ゲート線と交差する複数のデータ線、前記ゲート線及び前記データ線と接続される複数の薄膜トランジスタ、前記薄膜トランジスタと接続され、前記ゲート線に平行な第１辺及び前記第１辺より長さが短く、前記第１辺と隣接する第２辺を有する複数の画素電極、そして前記画素電極と重なる複数の維持電極線を有し、前記維持電極線に印加される維持電極信号は周期信号である。
【０００８】
隣接する維持電極線に印加される維持電極信号の位相は互いに反対であり得る。
【０００９】
前記維持電極線は前記データ線に実質的に平行することができる。
【００１０】
前記維持電極線は前記データ線と同一層に位置することができる。
【００１１】
前記維持電極線は前記ゲート線に隣接し、前記ゲート線と平行に伸びる少なくとも１つの分枝を有することができる。
【００１２】
前記第１辺の長さは前記第２辺の長さの３倍であり得る。
【００１３】
前記ゲート線と接続されるゲート駆動部を有し、前記ゲート駆動部は、前記ゲート線、前記データ線、前記薄膜トランジスタと同一層に位置することができる。
【００１４】
前記ゲート駆動部は前記ゲート線のうちの一部と接続される第１ゲート駆動部及び前記ゲート線のうちの他の一部と接続される第２ゲート駆動部を有することができる。
【００１５】
前記第１ゲート駆動部と前記第２ゲート駆動部は前記基板の反対側に位置することができる。
【００１６】
列方向に隣接する薄膜トランジスタは互いに異なるデータ線に接続されることができる。
【００１７】
列方向に隣接する薄膜トランジスタは２つの行ごとに互いに異なるデータ線に接続されることができる。
【００１８】
前記データ線に接続され、複数のダミー配線を含むデータ駆動部をさらに有し、前記維持電極信号は前記ダミー配線を通じて伝達されることができる。
【００１９】
前記ダミー配線及び前記維持電極線を接続し、前記ゲート線に平行に形成される維持電極信号供給線をさらに有することができる。
【００２０】
前記維持電極信号はフレームごとに反転することができる。
【００２１】
隣接するデータ線に沿って流れるデータ電圧の極性は反対であり得る。
【００２２】
各データ線に沿って流れるデータ電圧の極性は同一であることができる。
【００２３】
本発明の他の実施例による液晶表示装置は、行列に配列された複数の画素を含む液晶表示装置であって、複数のゲート線、そして前記ゲート線と交差する複数のデータ線を有し、前記各画素は液晶キャパシタ、そして前記液晶キャパシタと接続される第１端子及び周期信号である維持電極信号の印加を受ける第２端子を各々有するストレージキャパシタを有し、前記ゲート線及び前記データ線が定義する領域は縦の長さより横の長さがさらに長い。
【００２４】
前記ゲート線及び前記データ線が定義する領域は横の長さが縦の長さの３倍であり得る。
【００２５】
前記維持電極信号の周期によって前記液晶キャパシタの電圧が変わることがある。
【発明の効果】
【００２６】
本発明によると、データ駆動回路チップの個数を減らすことができる。また、低いデータ駆動回路の駆動電圧で広い範囲の階調表現を可能にして消費電力及び発熱量を減らすことができる。
【発明を実施するための最良の形態】
【００２７】
以下、添付した図面を参照して本発明の実施例について本発明の属する技術分野における通常の知識を有する者が容易に実施できるように詳細に説明する。しかし、本発明は多様で相異なる形態で実現することができ、ここで説明する実施例に限定されない。
【００２８】
図面で多様な層及び領域を明確に表現するために厚さを拡大して示した。明細書全体にわたって類似の部分に対しては同一図面符号を付けた。層、膜、領域、板などの部分が他の部分の“上”にあるとする時、これは他の部分の“直上”にある場合だけでなく、その中間に他の部分がある場合も含む。反対に、ある部分が他の部分の“直上”にあるとする時には、中間に他の部分がないことを意味する。
【００２９】
次に、図１及び図２を参照して本発明の１つの実施例による液晶表示装置について説明する。
【００３０】
図１は本発明の１つの実施例による液晶表示装置のブロック図であり、図２は本発明の１つの実施例による液晶表示装置の１つの画素に対する等価回路図である。
【００３１】
図１及び図２を参照すると、本発明の１つの実施例による液晶表示装置は液晶表示板組立体３００と、これに接続された一対のゲート駆動部（４００ａ、４００ｂ）及びデータ駆動部５００、維持電極駆動部７００、データ駆動部５００に接続された階調電圧生成部８００、そしてこれらを制御する信号制御部６００を有する。
【００３２】
液晶表示板組立体３００は等価回路で見る時、複数の表示信号線とこれに接続されてほぼ行列形態で配列された複数の画素（ＰＸ１、ＰＸ２、ＰＸ３）を有する。これに対し、図２に示した構造で見る時、液晶表示板組立体３００は互いに対向する下部及び上部表示板１００、２００と、その間に入っている液晶層３を有する。
【００３３】
信号線（Ｇ１−Ｇｎ、Ｄ１−Ｄｍ）はゲート信号（“走査信号”とも言う）を伝達する複数のゲート線（Ｇ１−Ｇｎ）とデータ信号を伝達する複数のデータ線（Ｄ１−Ｄｍ）を有する。ゲート線（Ｇ１−Ｇｎ）はほぼ行方向に伸びて互いにほとんど平行し、データ線（Ｄ１−Ｄｍ）はほぼ列方向に伸びて互いにほとんど平行する。
【００３４】
各画素（ＰＸ１、ＰＸ２、ＰＸ３）は行方向に長い構造を有し、例えば、ゲート線Ｇ１とデータ線Ｄｌに接続された画素（ＰＸ１、ＰＸ２、ＰＸ３）は信号線（ＧＬ、ＤＬ）に接続されたスイッチング素子Ｑと、これに接続された液晶キャパシタＣｌｃ及びストレージキャパシタＣｓｔを有する。ストレージキャパシタＣｓｔは必要に応じて省略することができる。
【００３５】
スイッチング素子Ｑは下部表示板１００に備えられる薄膜トランジスタなどの三端子素子であって、その制御端子はゲート線ＧＬと接続され、入力端子はデータ線ＤＬと接続され、出力端子は液晶キャパシタＣｌｃ及びストレージキャパシタＣｓｔと接続される。
【００３６】
液晶キャパシタＣｌｃは下部表示板１００の画素電極１９１と上部表示板２００の共通電極２７０を２つの端子とし、２つの電極（１９１、２７０）の間の液晶層３は誘電体として機能する。画素電極１９１はスイッチング素子Ｑと接続され、共通電極２７０は上部表示板２００の前面に形成されて共通電圧Ｖｃｏｍの印加を受ける。図２とは異なって、共通電極２７０が下部表示板１００に備えられる場合もあり、この時には２つの電極（１９１、２７０）のうちの少なくとも１つが線状または棒状になってもよい。
【００３７】
液晶キャパシタＣｌｃの補助的な役割を果たすストレージキャパシタＣｓｔは下部表示板１００に備えられた維持電極線ＳＬと画素電極１９１が絶縁体を介して重なってなり、この別個の信号線には共通電圧Ｖｃｏｍなどの決められた電圧が印加される。しかし、ストレージキャパシタＣｓｔは画素電極１９１が絶縁体を媒介として直上の前段ゲート線と重なってなることもできる。
【００３８】
一方、色表示を実現するためには各画素（ＰＸ１−ＰＸ３）が基本色のうちの１つを固有に表示したり（空間分割）、各画素（ＰＸ１−ＰＸ３）が時間に応じて交互に基本色を表示するように（時間分割）して、これら基本色の空間的、時間的合計で所望する色相を認識させる。基本色の例としては、赤色、緑色、青色など三原色がある。図２は空間分割の一例で、各画素（ＰＸ１−ＰＸ３）が画素電極１９１に対応する上部表示板２００の領域に基本色のうちの１つを表示する色フィルター２３０を備えることを示す。図２とは異なって、色フィルター２３０は下部表示板１００画素電極１９１の上または下に形成されることもできる。行方向に隣接した画素（ＰＸ１−ＰＸ３）の色フィルター２３０は互いに接続されて行方向に長く伸び、列方向には互いに異なる色を表示する色フィルター２３０が交互に配置される。
【００３９】
以下では各色フィルター２３０が赤色、緑色、青色のうちのいずれか１つを示すと仮定し、赤色色フィルター２３０を備える画素を赤色画素、緑色色フィルター２３０を備える画素を緑色画素、青色色フィルター２３０を備える画素を青色画素と言う。赤色画素、青色画素、緑色画素は列方向に順次で交互に配列される。
【００４０】
このように三原色の画素（ＰＸ１−ＰＸ３）は映像表示の基本単位である１つのドットＤＴを構成する。
【００４１】
次に、図３乃至図８を参照して本発明の１つの実施例による液晶表示板組立体について詳細に説明する。
【００４２】
図３は本発明の１つの実施例による液晶表示板組立体におけるスイッチング素子の位置と画素極性を示す概略図である。
【００４３】
図３を参照すると、隣接する２つのデータ線１７１に流れるデータ電圧の極性は互いに反対である。つまり、１つの画素電極１９１を介してある一側に位置したデータ線に沿って流れるデータ電圧の極性は正極性（＋）であり、他の一側に位置したデータ線に沿って流れるデータ電圧の極性は負極性（−）である。
画素ＰＸのスイッチング素子Ｑの位置は２つの画素行ごとに変わる。つまり、スイッチング素子Ｑが隣接した２つの画素行ごとに互いに異なる方向データ線に交互に接続されている。
【００４４】
各画素列で隣接した画素（ＰＸ１、ＰＸ２、ＰＸ３）が２つの行ごとに反対側のデータ線と接続されている場合、データ駆動部５００が列反転の形態で隣接したデータ線に極性の反対であるデータ電圧を印加するが、１つのフレームの間に極性を変えないと、行方向と列方向に互いに隣接した画素（ＰＸ１、ＰＸ２、ＰＸ３）の画素電圧の極性が反対となる。つまり、画面に示される見掛け反転（ａｐｐａｒｅｎｔ  ｉｎｖｅｒｓｉｏｎ）の形態が点反転となる。
【００４５】
このようなフレーム反転の他にもデータ駆動部５００は１つのフレーム内で隣接するデータ線（Ｄ１−Ｄｍ）に沿って流れるデータ電圧の極性を反転させ、それによってデータ電圧の印加を受けた画素電圧の極性もまた変化する。しかし、図３に示したように画素とデータ線（Ｄ１−Ｄｍ）の接続が画素行ごとに変わるので、データ駆動部５００での極性反転（駆動部反転）パターンと液晶表示板組立体３００の画面に現れる画素電圧の極性反転（見掛け反転）パターンが異なる。つまり、駆動部反転は列反転や見掛け反転が２×１点反転となる。
【００４６】
このように見掛け反転が点反転になると、画素電圧が正極性である場合と負極性である場合にキックバック電圧によって輝度の差が分散されて現れるので、縦行フリッカーをなくすことができる。また、駆動部反転が列反転であると１つのフレームの間に各データ線（Ｄ１−Ｄｍ）に印加されるデータ電圧の極性は同一であるので、解像度またはフレーム周波数が高くなって画素の充電を高めることができる。
【００４７】
次に、図４乃至図８を参照して図３に示した液晶表示板組立体の一例について詳細に説明する。
【００４８】
図４は本発明の１つの実施例による液晶表示板組立体用下部表示板を示す配置図であり、図５は本発明の１つの実施例による液晶表示板組立体用上部表示板を示す配置図であり、図６は図４の下部表示板と図５の上部表示板からなる液晶表示板組立体の配置図であり、図７及び図８は図６に示した液晶表示板組立体をＶＩＩ−ＶＩＩ及びＶＩＩＩ−ＶＩＩＩ線に沿って切断した断面図である。
【００４９】
図４乃至図８を参照すると、本発明の１つの実施例による液晶表示板組立体は下部表示板１００、上部表示板２００、これら２つの表示板１００、２００の間に入っている液晶層３を有する。
【００５０】
まず、下部表示板１００について説明する。
【００５１】
透明なガラスまたはプラスチックなどで作られた絶縁基板１１０上に複数のゲート線１２１が形成されている。
【００５２】
ゲート線１２１はゲート信号を伝達し、主に横方向に伸びる。各ゲート線１２１は上または下に突出した複数のゲート電極１２４と他の層または外部駆動回路との接続のために広い端部１２９を有する。
【００５３】
ゲート線１２１はアルミニウム（Ａｌ）やアルミニウム合金などのアルミニウム系金属、銀（Ａｇ）や銀合金などの銀系金属、銅（Ｃｕ）や銅合金などの銅系金属、モリブデン（Ｍｏ）やモリブデン合金などのモリブデン系金属、クロム（Ｃｒ）、タンタル（Ｔａ）及びチタニウム（Ｔｉ）などで作ることができる。しかし、これらは物理的性質の異なる２つの導電膜（図示せず）を有する多重膜構造を有してもよい。このうちの１つの導電膜は信号遅延や電圧降下を減らすように比抵抗の低い金属、例えば、アルミニウム系金属、銀系金属、銅系金属などで作られる。これとは異なって、他の導電膜は他の物質、特にＩＴＯ（酸化インジウム錫）及びＩＺＯ（酸化インジウム亜鉛）との物理的、化学的、電気的接触特性に優れた物質、例えばモリブデン系金属、クロム、タンタル、チタニウムなどで作られる。このような組み合わせの良い例としてはクロム下部膜とアルミニウム（合金）上部膜及びアルミニウム（合金）下部膜とモリブデン（合金）上部膜がある。しかし、ゲート線１２１はこの他にも多様な金属または導電体で作られることができる。
ゲート線１２１の側面は基板１１０面に対して傾き、その傾斜角は約３０゜乃至約８０゜であるのが好ましい。
【００５４】
ゲート線１２１上には窒化シリコン（ＳｉＮｘ）または酸化シリコン（ＳｉＯｘ）などで作られたゲート絶縁膜４０が形成されている。
【００５５】
ゲート絶縁膜１４０上には水素化非晶質シリコン（非晶質シリコンは略してａ−Ｓｉと言う）または多結晶シリコンなどで作られた複数の島状半導体１５４が形成されている。半導体１５４はゲート電極１２４上に位置する。
【００５６】
半導体１５４上には複数の島状抵抗性接触部材（１６３、１６５）が形成されている。抵抗性接触部材（１６３、１６５）はリンなどのｎ型不純物が高濃度でドーピングされているｎ＋水素化非晶質シリコンなどの物質で作られたり、シリサイドで作られることができる。抵抗性接触部材（１６３、１６５）は対をなして半導体１５４上に配置される。
半導体１５４と抵抗性接触部材（１６３、１６５）の側面もまた基板１１０面に対して傾き、傾斜角は３０゜乃至８０゜程度である。
【００５７】
抵抗性接触部材（１６３、１６５）及びゲート絶縁膜１４０上には複数のデータ線１７１、複数のドレイン電極１７５及び複数の維持電極線１３１が形成されている。
【００５８】
データ線１７１はデータ信号を伝達し、主に縦方向に伸びてゲート線１２１と交差する。各データ線１７１はゲート電極１２４に向かって伸びた複数のソース電極１７３と他の層または外部駆動回路との接続のために面積の広い端部１７９を有する。データ信号を生成するデータ駆動回路（図示せず）は基板１１０上に付着される可撓性印刷回路膜（図示せず）上に装着されることができ、基板１１０上に直接装着されることもでき、基板１１０に集積されることもできる。データ駆動回路が基板１１０上に集積されている場合、データ線１７１が伸びてこれと直接接続されることもできる。
【００５９】
ドレイン電極１７５はデータ線１７１と分離され、ゲート電極１２４を中心にソース電極１７３と対向する。各ドレイン電極１７５は面積の広い一端部と棒状である他側端部を有し、棒状端部はＵ字型で曲がったソース電極１７３で一部囲まれる。ソース電極１７３とドレイン電極１７５はほぼ左右対称である。
【００６０】
１つのゲート電極１２４、１つのソース電極１７３及び１つのドレイン電極１７５は半導体１５４と共に１つの薄膜トランジスタ（ＴＦＴ）を構成し、薄膜トランジスタのチャンネルはソース電極１７３とドレイン電極１７５の間の半導体１５４に形成される。
【００６１】
維持電極線１３１は周期信号である維持電極信号の印加を受け、データ線１７１にほとんど平行に伸びた分子線と、これから分かれた複数の第１乃至第４維持電極（１３７ａ、１３７ｂ、１３７ｃ、１３７ｄ）を有する。第１乃至第４維持電極（１３７ａ−ｄ）は分枝線から両側にゲート線１２１と平行に伸びてゲート線１２１に隣接する。第２及び第４維持電極（１３７ｂ、１３７ｄ）は接続部１３７ｅに接続され、接続部１３７ｅはデータ線と平行に伸びる。しかし、維持電極線１３１の模様及び配置は多様に変更することができる。
【００６２】
データ線１７１、ドレイン電極１７５及び維持電極線１３１はモリブデン、クロム、タンタル及びチタニウムなどの耐火性金属、或いはこれらの合金で作られるのが好ましく、耐火性金属膜（図示せず）と低抵抗導電膜（図示せず）を含む多重膜構造を有することができる。多重膜構造の例としてはクロムまたはモリブデン（合金）下部膜とアルミニウム（合金）上部膜の二重膜、モリブデン（合金）下部膜とアルミニウム（合金）中間膜とモリブデン（合金）上部膜の三重膜がある。しかし、データ線１７１、ドレイン電極１７５及び維持電極線１３１はその他にも多様な金属または導電体で作られることができる。
データ線１７１、ドレイン電極１７５維持電極線１３１もまたその側面が基板１１０面に対して３０゜乃至８０゜程度の傾斜角で傾くのが好ましい。
【００６３】
抵抗性接触部材（１６３、１６５）はその下の半導体１５４とその上のデータ線１７１及びドレイン電極１７５の間にのみ存在し、これらの間の接触抵抗を下げる。半導体１５４にはソース電極１７３とドレイン電極１７５の間をはじめとしてデータ線１７１及びドレイン電極１７５で覆わらずに露出された部分がある。
【００６４】
データ線１７１、ドレイン電極１７５及び露出された半導体１５４部分の上には保護膜１８０が形成されている。保護膜１８０は窒化シリコンと酸化シリコンなどの無機絶縁物で作られる。しかし、保護膜１８０は有機絶縁物で作ることもでき、表面が平坦であってもよい。有機絶縁物の場合には、感光性を有することができ、その誘電定数は約４．０以下であるのが好ましい。保護膜１８０はまた、有機膜の優れた絶縁特性を生かしながら、露出された半導体１５４部分に害にならないように下部無機膜と上部有機膜の二重膜構造を有することもできる。
【００６５】
保護膜１８０にはデータ線１７１の端部１７９とドレイン電極１７５を各々露出する複数の接触孔（１８２、１８５）が形成され、保護膜１８０とゲート絶縁膜１４０にはゲート線１２１の端部１２９を露出する複数の接触孔１８１が形成される。
【００６６】
保護膜１８０上には複数の画素電極１９１、複数の接続部材８１及び複数の接触補助部材８２が形成される。これらはＩＴＯまたはＩＺＯなどの透明な導電物質やアルミニウム、銀、クロムまたはその合金などの反射性金属で作ることができる。
【００６７】
各画素電極１９１はゲート線１２１またはデータ線１７１とほとんど平行な４つの主辺を有する。このうちゲート線１２１と平行な２つの横辺はデータ線１７１と平行な２つの縦辺の長さより長く、ほぼ３倍である。したがって、横辺が縦辺より短い場合に比べて各行に位置する画素電極１９１の個数が少なく、その代わりに各列に位置する画素電極１９１の個数が多い。したがって、データ線１７１の全個数が減少するので、データ駆動部５００用集積回路チップの個数を減らして材料費を節減することができる。もちろんゲート線１２１の個数がその分増加するが、ゲート駆動部（４００ａ、４００ｂ）はゲート線１２１、データ線１７１、薄膜トランジスタなどと共に組立体３００に集積することができるので、ゲート線１２１数の増加が別に問題にはならない。また、ゲート駆動部（４００ａ、４００ｂ）が集積回路チップの形態で装着されても、ゲート駆動部（４００ａ、４００ｂ）用集積回路チップの原価が相対的に安いために、データ駆動部５００用集積回路チップの個数を減らすことがさらに有利である。
【００６８】
画素電極１９１は接触孔１８５を通ってドレイン電極１７５と物理的且つ電気的に接続され、ドレイン電極１７５からデータ電圧の印加を受ける。データ電圧が印加された画素電極１９１は共通電圧の印加を受ける共通電極表示板２００の共通電極２７０と共に電場を生成することによって、２つの電極（１９１、２７０）の間の液晶層３の液晶分子方向を決める。このように決められた液晶分子の方向に応じて液晶層３を通過する光の偏光が変わる。画素電極１９１と共通電極２７０は液晶キャパシタを構成して薄膜トランジスタが遮断された後にも印加された電圧を維持する。
【００６９】
画素電極１９１は維持電極（１３７ａ〜１３７ｅ）をはじめとする維持電極線１３１と重なって液晶キャパシタの電圧維持能力を強化するストレージキャパシタを構成する。詳わしく説明すると、まず維持電極線１３１の分枝線は画素電極１９１の中央を縦に横切り、画素電極１９１の上下境界は分枝線から左右に延長された維持電極（１３７ａ〜１３７ｅ）上に位置する。このように維持電極線１３１を配置すると、ゲート線１２１と画素電極１９１の間に形成される電磁気干渉が維持電極（１３７ａ〜１３７ｅ）によって遮断されて画素電極１９１の電圧が安定的に維持されることができる。このような構造はまた、画素電極１９１の左右境界付近に維持電極（１３３ａ−ｄ）を配置する構造に比べて縦方向の導線が減少するために画素が占める横方向の幅を減らすことができるので、ゲート駆動部（４００ａ、４００ｂ）を集積するための空間を十分に確保することができる。維持電極（１３７ａ〜１３７ｅ）は画素電極１９１の間の光漏れを遮断する役割もする。維持電極線１３１の分枝線が画素電極１９１の中央に配置されることによって生じる段差は維持電極線１３１の側面傾斜をなだらかにして補完することができる。
【００７０】
また、ストレージキャパシタＣｓｔによって液晶キャパシタＣｌｃの充電電圧を変化させるが、これについては以下で詳細に説明する。
【００７１】
接触補助部材８２は接触孔１８２を通ってデータ線１７１の端部１７９と接続される。接触補助部材８２はデータ線１７１の端部１７９と外部装置との接着性を補完し、これらを保護する。
【００７２】
接続部材８１は接触孔１８１を通ってゲート線１２１の端部１２９と接続される。接続部材８１はゲート線１２１の端部１２９とゲート駆動部（４００ａ、４００ｂ）を接続する。ゲート駆動部（４００ａ、４００ｂ）が集積回路チップの形態である場合に、接続部材８１は接触補助部材８２と類似な模様及び機能を有することができる。
【００７３】
次に、上部表示板２００について説明する。
【００７４】
透明なガラスまたはプラスチックなどで作られた絶縁基板２１０上に遮光部材２２０が形成される。遮光部材２２０は黒色層とも言い、光漏れを防止する。
【００７５】
基板２１０及び遮光部材２２０上にはまた、複数の色フィルター２３０が形成される。色フィルター２３０は遮光部材２２０で囲まれた領域内にほとんど存在し、画素電極１９１行に沿って長く伸びることができる。各色フィルター２３０は赤色、緑色及び青色の三原色など、基本色のうちの１つを表示することができる。
【００７６】
色フィルター２３０及び遮光部材２２０上には蓋膜２５０が形成されている。蓋膜２５０は有機絶縁物で作ることができ、色フィルター２３０が露出されることを防止し、平坦面を提供する。蓋膜２５０は省略してもよい。
【００７７】
表示板（１００、２００）の内側面には配向膜（１１、２１）が塗布され、これらは垂直配向膜であり得る。表示板（１００、２００）の外側面には偏光子（１２、２２）が備えられるが、２つの偏光子の偏光軸は平行または直交することができる。反射型液晶表示装置の場合には、２つの偏光子のうちの１つを省略してもよい。
【００７８】
本実施例による液晶表示装置は液晶層３の遅延を補償するための位相遅延膜（図示せず）をさらに有することができる。液晶表示装置はまた、偏光子（１２、２２）、位相遅延膜、表示板（１００、２００）及び液晶層３に光を供給する照明部（図示せず）を有することができる。
【００７９】
液晶層３は正または負の誘電率異方性を有し、液晶層３の液晶分子３１は電場のない状態でその長軸が２つの表示板（１００、２００）の表面に対してほとんど平行または垂直をなすように配向される。
【００８０】
再び図１を参照すると、ゲート駆動部（４００ａ、４００ｂ）は信号線（Ｇ１−Ｇｎ、Ｄ１−Ｄｍ）及び薄膜トランジスタスイッチング素子Ｑなどと共に液晶表示板組立体３００に集積され、液晶表示板組立体３００の左側と右側に各々位置する。ゲート駆動部（４００ａ、４００ｂ）は奇数番目ゲート線と偶数番目ゲート線に交互に接続され、ゲートオン電圧Ｖｏｎとゲートオフ電圧Ｖｏｆｆの組み合わせからなるゲート信号をゲート線（Ｇ１−Ｇｎ）に印加する。しかし、ゲート駆動部（４００ａ、４００ｂ）は組立体３００のある一側にのみ備えられることもできる。
【００８１】
液晶表示板組立体３００の外側面には光を偏光させる少なくとも１つの偏光子（図示せず）が付着される。
【００８２】
階調電圧生成部８００は画素ＰＸの透過率と関する２対の階調電圧集合（または基準階調電圧集合）を生成する。２対のうちの１対は共通電圧Ｖｃｏｍに対して正の値を有し、他の１対は負の値を有する。
【００８３】
データ駆動部５００は液晶表示板組立体３００のデータ線（Ｄ１−Ｄｍ）に接続され、階調電圧生成部８００からの階調電圧を選択し、これをデータ信号としてデータ線（Ｄ１−Ｄｍ）に印加する。しかし、階調電圧生成部８００が全ての階調に対する電圧を全て提供することでなく決められた数の基準階調電圧のみを提供する場合に、データ駆動部５００は基準階調電圧を分圧して全階調に対する階調電圧を生成し、この中でデータ信号を選択する。
【００８４】
維持電極駆動部７００は液晶表示板組立体３００の維持電極線ＳＬと接続されて周期信号である維持電極電圧を維持電極線ＳＬに印加する。
【００８５】
信号制御部６００はゲート駆動部（４００ａ、４００ｂ）及びデータ駆動部５００などを制御する。
【００８６】
このような駆動装置（４００、５００、６００、７００、８００）の各々は少なくとも１つの集積回路チップの形態で液晶表示板組立体３００上に直接装着することができ、可撓性印刷回路膜（図示せず）上に装着されてＴＣＰ（ｔａｐｅ  ｃａｒｒｉｅｒ  ｐａｃｋａｇｅ）の形態で液晶表示板組立体３００に付着されることもでき、別途の印刷回路基板（図示せず）上に装着されることもできる。これとは異なって、これら駆動装置（４００、５００、６００、７００、８００）が信号線（Ｇ１−Ｇｎ、Ｄ１−Ｄｍ、ＳＬ）及び薄膜トランジスタスイッチング素子Ｑなどと共に液晶表示板組立体３００に集積されることもできる。また、駆動装置（４００、５００、６００、７００、８００）は単一チップで集積することができ、この場合、これらのうちの少なくとも１つまたはこれらを構成する少なくとも１つの回路素子が単一チップ外側にあってもよい。
【００８７】
以下では、このような液晶表示装置の動作について詳細に説明する。
【００８８】
信号制御部６００は外部のグラフィック制御機（図示せず）から入力映像信号（Ｒ、Ｇ、Ｂ）及びその表示を制御する入力制御信号を受信する。入力映像信号（Ｒ、Ｇ、Ｂ）は各画素ＰＸの輝度情報を含み、輝度は決められた個数、例えば、１０２４（＝２１０）、２５６（＝２８）または６４（＝２６）個の階調を有している。入力制御信号の例としては垂直同期信号Ｖｓｙｎｃ、水平同期信号Ｈｓｙｎｃ、メインクロックＭＣＬＫ、データイネーブル信号ＤＥなどがある。
【００８９】
信号制御部６００は入力映像信号（Ｒ、Ｇ、Ｂ）と入力制御信号に基づいて入力映像信号（Ｒ、Ｇ、Ｂ）を液晶表示板組立体３００の動作条件に合わせて適切に処理し、ゲート制御信号ＣＯＮＴ１、データ制御信号ＣＯＮＴ２及び維持電極制御信号ＣＯＮＴ３等を生成した後、ゲート制御信号ＣＯＮＴ１をゲート駆動部（４００ａ、４００ｂ）に出力し、データ制御信号ＣＯＮＴ２と処理した映像信号ＤＡＴをデータ駆動部５００に出力し、維持電極制御信号ＣＯＮＴ３を維持電極駆動部７００に出力する。信号制御部６００のこのような映像信号処理には図１に示した画素の配置によって入力映像信号（Ｒ、Ｇ、Ｂ）を再配列する動作が含まれる。
【００９０】
ゲート制御信号ＣＯＮＴ１は走査開始を指示する走査開始信号ＳＴＶと、ゲートオン電圧Ｖｏｎの出力周期を制御する少なくとも１つのクロック信号を有する。ゲート制御信号ＣＯＮＴ１はまた、ゲートオン電圧Ｖｏｎの持続時間を限定する出力イネーブル信号ＯＥをさらに有してもよい。
【００９１】
データ制御信号ＣＯＮＴ２は１つの行の画素に対するデジタル映像信号ＤＡＴの伝送開始を知らせる水平同期開始信号ＳＴＨと、データ線（Ｄ１−Ｄｍ）にアナログデータ信号を印加することを命令するロード信号ＬＯＡＤ及びデータクロック信号ＨＣＬＫを有する。データ制御信号ＣＯＮＴ２はまた、共通電圧Ｖｃｏｍに対するアナログデータ信号の電圧極性（以下、“共通電圧に対するデータ信号の電圧極性”を略して“データ信号の極性”と言う）を反転させる反転信号ＲＶＳをさらに有することができる。
【００９２】
信号制御部６００からのデータ制御信号ＣＯＮＴ２によってデータ駆動部５００は１つの行の画素に対するデジタル映像信号ＤＡＴを受信し、各デジタル映像信号ＤＡＴに対応する階調電圧を選択することでデジタル映像信号ＤＡＴをアナログデータ信号に変換した後、これを当該データ線（Ｄ１−Ｄｍ）に印加する。
【００９３】
ゲート駆動部４００は信号制御部６００からのゲート制御信号ＣＯＮＴ１によってゲートオン電圧Ｖｏｎをゲート線（Ｇ１−Ｇｎ）に印加し、このゲート線（Ｇ１−Ｇｎ）に接続されたスイッチング素子Ｑを導通させる。その結果、データ線（Ｄ１−Ｄｍ）に印加されたデータ信号が導通したスイッチング素子Ｑを通って当該画素ＰＸに印加される。
【００９４】
維持電極駆動部７００は信号制御部６００からの維持電極制御信号ＣＯＮＴ３によって維持電極信号Ｖｓｔを維持電極線ＳＬに印加する。維持電極信号Ｖｓｔは共通電圧Ｖｃｏｍに対して周期的に反転する。
【００９５】
画素ＰＸに印加されたデータ信号の電圧と共通電圧Ｖｃｏｍの差は液晶キャパシタＣｌｃの充電電圧、つまり、画素電圧として現れる。液晶分子は画素電圧の大きさに応じてその配列を異ならせ、その結果液晶層３を通過する光の偏光が変化する。このような偏光の変化は表示板組立体３００に付着された偏光子によって光の透過率変化で現れ、これによって画素ＰＸは映像信号ＤＡＴの階調が示す輝度を表示する。
【００９６】
１水平周期（“１Ｈ”ともし、水平同期信号Ｈｓｙｎｃ及びデータイネーブル信号ＤＥの１周期と同一）を単位として、このような過程を繰り返すことによって全てのゲート線（Ｇ１−Ｇｎ）に対して順次にゲートオン電圧Ｖｏｎを印加し、全ての画素ＰＸにデータ信号を印加して１つのフレームの映像を表示する。
【００９７】
１つのフレームが終了すると次のフレームが始まり、各画素ＰＸに印加されるデータ信号の極性が直前フレームでの極性と反対になるようにデータ駆動部５００に印加される反転信号ＲＶＳの状態が制御される（“フレーム反転”）。この時、１つのフレーム内でも反転信号ＲＶＳの特性によって１つのデータ線を通じて流れるデータ信号の極性が変わったり（例：行反転、点反転）、１つの画素行に印加されるデータ信号の極性も互いに異なることがある（例：列反転、点反転）。
【００９８】
次に、図９Ａ及び図９Ｂを参照して本発明の１つの実施例による液晶表示装置の駆動についてさらに詳細に説明する。
【００９９】
図９Ａ及び図９Ｂは各々ｎ番目フレーム及び（ｎ＋１）番目フレームで本発明の１つの実施例による液晶表示装置の駆動信号を示す波形図である。
【０１００】
まず、図９Ａを参照してｎ番目フレームの駆動について説明する。
【０１０１】
ゲート駆動部４００からゲート線１２１にゲート信号Ｖｇとしてゲートオン電圧Ｖｏｎが印加されると、液晶キャパシタＣｌｃが充電される。つまり、画素電極電圧Ｖｐは上昇して負極性（−）から正極性（＋）に変化する。維持電極電圧Ｖｓｔは周期的に変化し、共通電圧Ｖｃｏｍを中心に極性反転する。この時、ゲート電圧Ｖｇは当該データ電圧Ｖｄが印加される前からゲートオン電圧Ｖｏｎ状態を維持して約１Ｈの間に液晶キャパシタＣｌｃは先充電され、その後、約１Ｈの間に当該データ電圧Ｖｄが本充電される。
【０１０２】
約２Ｈが経過すると、ゲート信号Ｖｇがゲートオフ電圧Ｖｏｆｆに変わり、画素電極電圧Ｖｐはキックバック電圧Ｖｋｂだけ低下しては維持電極電圧Ｖｓｔの変化に応じて周期的に変化する。この時、画素電極電圧Ｖｐは維持電極電圧Ｖｓｔの上昇によってΔＶｐ値だけ上がって再び元来電圧に戻る周期的な値を有する。画素電極電圧Ｖｐはその平均値として認知され、その値はＶｐｐとなる。
【０１０３】
次に、図９Ｂを参照すると、（ｎ＋１）番目フレームでもゲート駆動部４００からゲート線１２１にゲート信号Ｖｇとしてゲートオン電圧Ｖｏｎが印加されると液晶キャパシタＣｌｃが充電される。つまり、画素電極電圧Ｖｐは上昇して正極性（＋）から負極性（−）に変化する。維持電極電圧Ｖｓｔは周期的に変化し、共通電圧Ｖｃｏｍを中心に極性反転する。この時、ゲート電圧Ｖｇは当該データ電圧Ｖｄが印加される前からゲートオン電圧Ｖｏｎ状態を維持して約１Ｈの間に液晶キャパシタＣｌｃは先充電され、その後、約１Ｈの間に当該データ電圧Ｖｇが本充電される。
【０１０４】
約２Ｈが経過すると、ゲート信号Ｖｇがゲートオフ電圧Ｖｏｆｆに変わり、画素電極電圧Ｖｐはキックバック電圧Ｖｋｂだけ低下しては維持電極電圧Ｖｓｔの変化に応じて周期的に変化する。この時、画素電極電圧Ｖｐは維持電極電圧Ｖｓｔの上昇によってΔＶｐ値だけ低下して再び元来電圧に戻る周期的な値を有する。画素電極電圧Ｖｐはその平均値として認知され、その値はＶｐｐとなる。
【０１０５】
図９Ａ及び図９Ｂを参照すると、画素電極電圧Ｖｐが正極性（＋）及び負極性（−）である場合に、維持電極信号Ｖｓｔによって共通電圧Ｖｃｏｍと画素電極電圧Ｖｐの差は初期により大きくなってＶｐｐ値となる。
【０１０６】
このように維持電極信号Ｖｓｔの変化量だけ画素電圧の範囲が広くなるので、画素の階調表現範囲が増加する。したがって、データ駆動部５００の駆動電圧を低くしても十分な画素電圧を確保することができるので、データ駆動部５００の消費電力及び発熱量を減らすことができる。
【０１０７】
次に、図１０を参照して本発明の１つの実施例による液晶表示装置で維持電圧信号を印加する方法について説明する。
【０１０８】
図１０は本発明の１つの実施例による液晶表示板組立体及びデータ駆動部を示す斜視図である。
【０１０９】
図１０を参照すると、上述したように液晶表示板組立体３００は下部表示板１００及び上部表示板２００はの間に液晶層３を介して対向する。
【０１１０】
下部表示板１００の上端にはデータ駆動部５００の一側が接続される。データ駆動部５００の他側は印刷回路基板９００に接続され、印刷回路基板９００には階調電圧生成部８００及び維持電極駆動部７００が装着される。データ駆動部５００はデータ電圧Ｖｄをデータ線１７１に伝達するデータ駆動回路チップ５１０を有し、データ駆動回路チップ５１０周辺に形成される複数のダミー配線（５２０、５３０）を有する。
【０１１１】
ダミー配線（５２０、５３０）は維持電極信号Ｖｓｔが印加される第１ダミー配線５２０及び共通電圧Ｖｃｏｍが印加される第２ダミー配線５３０を有する。第１ダミー配線５２０の一側端部は維持電極駆動部７００と接続される。第１ダミー配線５２０の他側は下部表示板１００上に延長形成され、下部表示板１００上に形成されている維持電極信号供給線１３０と接続される。維持電極信号供給線１３０はゲート線１２１と平行に形成され、データ線１７１と平行に形成されている複数の維持電極線１３１と接続される。維持電極信号Ｖｓｔは維持電極駆動部７００で生成されて第１ダミー配線５２０及び維持電極信号供給線１３０を通って維持電極線１３１に伝達される。
【０１１２】
このように維持電極信号供給線１３０はゲート線１２１と平行方向、つまり、横方向に形成されるので、維持電極信号供給線１３０全体が維持電極駆動部７００から近く配置されることができる。したがって、周期的に変わる維持電極信号Ｖｓｔを画素に正確に印加することができる。
【０１１３】
一方、第２ダミー配線５３０を通って印加される共通電圧Ｖｃｏｍは短絡部材４０を通って上部表示板２００の共通電極２７０に供給される。
以下では図１１及び図１２を参照して本発明の他の実施例による液晶表示板組立体について詳細に説明する。
【０１１４】
図１１は本発明の他の実施例による液晶表示板組立体のスイッチング素子及び画素の極性を示す概略図である。
【０１１５】
図１１を参照すると、各画素列は２つのデータ線と隣接し、その画素列内の複数の画素（ＰＸ１、ＰＸ２、ＰＸ３）はこれら２つのデータ線に交互に接続される。言い換えると、各画素列で隣接した画素（ＰＸ１、ＰＸ２、ＰＸ３）のスイッチング素子Ｑは互いに異なるデータ線（Ｄ１−Ｄｍ）に接続される。
【０１１６】
図１１に示したように、各画素列で隣接した画素（ＰＸ１、ＰＸ２、ＰＸ３）が反対側のデータ線と接続される場合、データ駆動部５００が列反転の形態で隣接したデータ線に極性の反対であるデータ電圧を印加するが、１つのフレームの間に極性を変えないと、行方向と列方向に互いに隣接した画素（ＰＸ１、ＰＸ２、ＰＸ３）の画素電圧極性が反対となる。つまり、画面に示される見掛け反転の形態が点反転となる。
【０１１７】
このようなフレーム反転の他にもデータ駆動部５００は１つのフレーム内で隣接するデータ線（Ｄ１−Ｄｍ）に沿って流れるデータ電圧の極性を反転させ、それによってデータ電圧の印加を受けた画素電圧の極性も変化する。しかし、図３に示したように画素とデータ線（Ｄ１−Ｄｍ）の接続が画素行ごとに変わるので、データ駆動部５００での極性反転（駆動部反転）パターンと液晶表示板組立体３００の画面に現れる画素電圧の極性反転（見掛け反転）パターンが異なって現れる。つまり、駆動部反転は列反転や見掛け反転が１×１点反転になる。
【０１１８】
次に、図１２を参照して図１１の液晶表示板組立体の一例について詳細に説明する。
図１２は図１１に示した液晶表示板組立体の一例を示す配置図である。
【０１１９】
図１２を参照すると、本実施例による液晶表示板組立体も互いに対向する下部表示板（図示せず）と上部表示板（図示せず）及び、これら２つの表示板の間に入っている液晶層（図示せず）を有する。
【０１２０】
本実施例による液晶表示板組立体の層状構造はほとんど図３乃至図８に示した液晶表示板組立体の層状構造と同様であるために別に図示せず、図７及び図８に示した図面符号と同一図面符号を使用して図１と比較説明する。
【０１２１】
下部表示板１００について説明すると、絶縁基板１１０上に複数のゲート線１２１及び維持電極線１３１を有する複数のゲート導電体が形成されている。各ゲート線１２１はゲート電極１２４と端部１２９を有し、各維持電極線１３１は維持電極（１３７ａ〜１３７ｅ）を有する。ゲート導電体１２１上にはゲート絶縁膜１４０が形成されている。ゲート絶縁膜１４０上には島状半導体１５４が形成され、その上には複数の抵抗性接触部材（１６３、１６５）が形成されている。抵抗性接触部材（１６３、１６５）及びゲート絶縁膜１４０上には複数のデータ線１７１と複数のドレイン電極１７５を有するデータ導電体が形成されている。データ線１７１は複数のソース電極１７３と端部１７９を有する。データ導電体（１７１、１７５）及び露出された半導体１５４部分上には保護膜１８０が形成され、保護膜１８０及びゲート絶縁膜１４０には複数の接触孔（１８１、１８２、１８５）が形成される。保護膜上には複数の画素電極１９１と複数の接触補助部材８１、８２が形成される。画素電極１９１、接触補助部材（８１、８２）及び保護膜上には配向膜１１が形成されている。
【０１２２】
上部表示板について説明すると、絶縁基板２１０上に遮光部材２２０、複数の色フィルター２３０、蓋膜２５０、共通電極２７０、そして配向膜２１が形成されている。
図１２の液晶表示板組立体は図３と異なってゲート電極１２４、半導体１５４、ソース電極１７３及びドレイン電極１７５からなる薄膜トランジスタが２つの画素行ごとに異なるデータ線に接続される。
【図面の簡単な説明】
【０１２３】
【図１】本発明の１つの実施例による液晶表示装置のブロック図である。
【図２】本発明の１つの実施例による液晶表示装置の１つの画素に対する等価回路図である。
【図３】本発明の１つの実施例による液晶表示板組立体でスイッチング素子の配列及び画素の極性を示す概略図である。
【図４】本発明の１つの実施例による液晶表示板組立体用下部表示板の配置図である。
【図５】本発明の１つの実施例による液晶表示板組立体用上部表示板の配置図である。
【図６】図４の下部表示板及び図５の上部表示板からなる液晶表示板組立体を示す配置図である。
【図７】図６に示した液晶表示板組立体をＶＩＩ−ＶＩＩ線に沿って切断した断面図である。
【図８】図６に示した液晶表示板組立体をＶＩＩＩ−ＶＩＩＩ線に沿って切断した断面図である。
【図９Ａ】ｎ番目フレームにおける本発明の一実施例による液晶表示装置の駆動信号を示す波形図である。
【図９Ｂ】（ｎ＋１）番目フレームにおける本発明の一実施例による液晶表示装置の駆動信号を示す波形図である。
【図１０】本発明の１つの実施例による液晶表示板組立体とデータ駆動部を概略的に示す斜視図である。
【図１１】本発明の他の実施例による液晶表示板組立体でスイッチング素子の配列及び画素の極性を示す概略図である。
【図１２】本発明の他の実施例による液晶表示板組立体の配置図である。
【符号の説明】
【０１２４】
１１、２１    配向膜、
１２、２２    偏光板、
８１、８２    接触補助部材、
１００    トランジスタ表示板、
１１０、２１０    基板、
１２１    ゲート線、
１２４    ゲート電極、
１３１    維持電極線、
１３７ａ〜１３７ｅ    維持電極、
１４０    ゲート絶縁膜、
１５４    半導体、
１６３、１６５    抵抗性接触部材、
１７１    データ線、
１７３    ソース電極、
１７５    ドレイン電極、
１８０    保護膜、
１８１、１８２、１８５    接触孔、
１９１    画素電極、
２００    色フィルター表示板、
２２０    遮光部材、
２３０    色フィルター、
２７０    共通電極、
３００    液晶表示板組立体、
４００    ゲート駆動部、
５００    データ駆動部、
６００    信号制御部、
７００    維持電極駆動部、
８００    階調電圧生成部。
【図１】
2008033324.tif 000003
【図２】
2008033324.tif 000004
【図３】
2008033324.tif 000005
【図４】
2008033324.tif 000006
【図５】
2008033324.tif 000007
【図６】
2008033324.tif 000008
【図７】
2008033324.tif 000009
【図８】
2008033324.tif 000010
【図９Ａ】
2008033324.tif 000011
【図９Ｂ】
2008033324.tif 000012
【図１０】
2008033324.tif 000013
【図１１】
2008033324.tif 000014
【図１２】
2008033324.tif 000015